(57)【要約】      （修正有）【課題】隣り合う選別用スロット同士が間隙を通じて連続することがなく、シンプルな構造で的確な選別が可能なディスクスクリーン型の選別装置を提供する。【解決手段】移送面を形成する第１及び第２ローラ３４，３６は、同一の楕円状外形を有する第１、第２及び第３ディスク３８ａ〜３８ｃ又は第４、第５及び第６ディスク４４ａ〜４４ｃが各軸方向に順番に配置されている。第２及び第３ディスク３８ｂ，３８ｃは、第１ディスク３８ａに対して軸周りに４５°，−９０°ずれている。第５及び第６ディスク４４ｂ，４４ｃは、第４ディスク４４ａに対して軸周りに４５°，−９０°ずれている。第１及び第２ローラ３４，３６は、回転位置が９０°ずれた状態で連動回転する。第１及び第４ディスク３８ａ，４４ａ、第２及び第５ディスク３８ｂ，４４ｂ、及び前記第３及び第６ディスク３８ｃ、４４ｃの各外周端面同士が対向して近接している。【選択図】図４
0003181720.tif 000002
【実用新案登録請求の範囲】
【請求項１】
装置本体に回転可能に支持された回転軸及び前記回転軸の外周面に所定間隔を空けてフランジ状に設けた複数のディスクで成るローラと、複数の前記ローラの前記回転軸を同一方向に連動回転させる駆動装置とを備え、
複数の前記ローラを並設して上側に移送面を形成し、当該移送面の前記回転軸と垂直方向の一方の端部である搬入端の側に投入された混合廃棄物を、前記移送面の他方の端部である排出端から排出するディスクスクリーン型の選別装置において、
前記移送面は、前記ローラである第１及び第２ローラが交互に並設されて形成され、
前記第１ローラは、同一の楕円状外形を有する複数の前記ディスクが軸方向に一定間隔で配置され、前記複数のディスクの中の何れのディスクも、軸方向に隣り合うもの同士が互いに軸周りに所定角度ずれて設けられ、
前記第２ローラは、前記第１ローラの前記ディスクと同一の楕円状外形を有する他の複数のディスクが軸方向に一定間隔で配置され、前記他の複数のディスクの中の何れのディスクも、軸方向に隣り合うもの同士が互いに軸周りに所定角度ずれて設けられ、
前記第１及び第２ローラが互いに平行に前記装置本体に支持された状態で、前記各ディスクの外周端面同士が、前記各回転軸周りに相対的に９０°位置がずれて各々対向し、
前記駆動装置は、前記第１及び第２ローラを、前記回転軸の軸周りに等速度で連動回転するように駆動し、
第１及び第２ローラの前記回転軸が支持されている間隔は、前記各ディスクの外周端面同士が互いに接し又は僅かに離間する範囲で近接するよう設定されていることを特徴とするディスクスクリーン型の選別装置。
【請求項２】
前記第１ローラは、同一の楕円状外形を有する複数の前記ディスクである第１、第２及び第３ディスクが、軸方向に当該順番を繰り返すように配置され、前記第２ディスクが前記第１ディスクに対して軸周りに４５°ずれて設けられ、前記第３ディスクが前記第１ディスクに対して軸周りに９０°ずれて設けられ、
前記第２ローラは、前記第１ローラの前記ディスクと同一の楕円状外形を有する前記ディスクである第４、第５及び第６ディスクが、軸方向に当該順番を繰り返すように配置され、前記第５ディスクが前記第４ディスクに対して軸周りに４５°ずれて設けられ、前記第６ディスクが前記第４ディスクに対して軸周りに９０°ずれて設けられ、
前記第１及び第２ローラは、前記装置本体に支持された状態で、前記第１及び第４ディスクの外周端面同士、前記第２及び第５ディスクの外周端面同士、及び前記第３及び第６ディスクの外周端面同士の各々の位置が、前記各回転軸周りに相対的に９０°ずれて各々対向し、
第１及び第２ローラの前記回転軸が支持されている間隔は、前記第１及び第４ディスクの外周端面同士、前記第２及び第５ディスクの外周端面同士、及び前記第３及び第６ディスクの外周端面同士が互いに接し又は僅かに離間する範囲で近接するよう設定されている請求項１記載のディスクスクリーン型の選別装置。
【請求項３】
前記ディスクは、互いに平行な前記回転軸に固定され、前記各回転軸の軸間距離は、前記楕円の長径と短径の和の１／２とほぼ等しく、前記回転軸に周りに設けられた前記ディスクの楕円状外形は、互いの位置が相対的に前記軸周りに９０°ずれて、外周端面同士が互いに接し又は僅かに離間して回転可能に形成されている請求項１又は２記載のディスクスクリーン型の選別装置。
【請求項４】
前記ディスクの楕円状外形は、長径の先端と短径の先端との結ぶ曲線の膨らみが、真の楕円における当該曲線の膨らみよりも僅かに内側になっている請求項３記載のディスクスクリーン型の選別装置。
【請求項５】
複数の前記ディスクと、当該ディスクよりも外形が小さく、隣り合う前記ディスク同士の間隔を規定するスペーサとが、各中心部分を貫通する前記回転軸に着脱自在に固定されている請求項１乃至４のいずれか記載のディスクスクリーン型の選別装置。
【請求項６】
前記ローラの下側に、当該ローラの複数の前記ディスクの下方部分が回転通過する切り込みが形成されたスクレーパが設けられている請求項１乃至５のいずれか記載のディスクスクリーン型の選別装置。
【考案の詳細な説明】
【技術分野】
【０００１】
この考案は、建築廃材、廃プラスッチック、ガラス片などの混合廃棄物をリサイクル又は廃棄の処理をするために選別を行うディスクスクリーン型の選別装置に関する。
【背景技術】
【０００２】
ディスクスクリーン型の選別装置は、様々な大きさの混合廃棄物が移送面に搬入され、所定サイズ以下の廃棄物だけを移送面を通して落下させ、その他の大形の廃棄物を移送面の排出端から排出する装置である。
【０００３】
従来、この種の選別装置として、例えば、特許文献１に開示されているように、複数の多角形（例えば六角形）のディスクを所定の間隔を空けて中心貫通状態で回転軸に固定して成るローラ部材を有し、複数の当該ローラ部材を横方向に並べて回転可能に本体枠に支持することによって移送面を形成した選別処理装置がある。この選別処理装置は、隣り合うローラ部材の各ディスクは、互いに所定の大きさの隙間を介在させて交互に重なり合うように配置され、各ローラ部材の回転軸が駆動機構によって同一方向に連動回転し、移送面の上側に搬入された廃棄物を排出端に移動させる。従って、六角形等のディスクが回転することによって廃棄物がジャンプしながら移動するので、粘着性を有する廃棄物や含水率の高い廃棄物が搬入された場合でも、廃棄物がディスク等に張り付きにくい。また、移送面の端部に在るローラ部材の位置に、当該ローラ部材のディスクから廃棄物を掻き取る所定形状のスクレーパが設けられている。
【０００４】
また、特許文献２に開示されているように、複数の複合ディスクを所定の間隔を空けて中心貫通状態でシャフトに固定して成る第１及び第２をシャフトの有し、第１及び第２のシャフトを横方向に並べて回転可能に本体枠に支持することによって移送面を形成した廃棄物分別スクリーンがある。複合ディスクは、主ディスクと補助ディスクとを厚み方向に当接させ又は一体に形成したものであり、主ディスクは、三角形、四角形又は五角形で各辺がアーチ形に膨らんだ外形を有し、補助ディスクは、主ディスクの外周よりも小さい円形、楕円形又は長円形の外形を有している。そして、隣り合う第１及び第２のシャフトの各複合ディスクは、自身の主ディスクの外周端面が相手方の補助ディスクの外周端面に対向するように配置され、且つ自身の補助ディスクの外周端面が相手方の主ディスクの外周端面に対向するように配置され、廃棄物分別スクリーンの幅方向においてに部分的に重なり合うようになっている。
【０００５】
上記のいずれのディスクスクリーン型の選別装置も、所定サイズ以下の廃棄物だけが移送面を通過して落下するように、近接する複数のディスク又は複合ディスクと回転軸とで四方を囲んだ当該所定サイズの隙間、すなわち選別用スロットを形成し、各選別用スロットが移送面の幅方向に連続しないように、各ディスクが幅方向に重なり合うように設けられている。
【先行技術文献】
【特許文献】
【０００６】
【特許文献１】特開２００１−３３４２１２号公報
【特許文献２】特開２００４−６６０６４号公報
【考案の概要】
【考案が解決しようとする課題】
【０００７】
しかし、特許文献１の選別処理装置の場合、六角形等のディスクが回転しているとき、その回転位置によって、隣り合う選別用スロットを仕切るディスクの外周端面と回転軸の外周面との間隙が大きくなり、複数の選別用スロットがこの間隙を介して連続するタイミングがある。複数の選別用スロットが連続すると、選別用スロットのサイズが大きくなったのと等価なので、選別対象の小形の廃棄物に混じって、選別対象外の大形の廃棄物が選別用スロットを通過してしまい、選別を良好に行うことができないという問題がある。また、その間隙に廃棄物が引っ掛かって、ローラ部材が回転できなくなるおそれもある。
【０００８】
また、特許文献２の選別処理装置の場合、複合ディスクを使用することによって上記の問題が発生しにくくなるとは思われるが、その効果は十分ではない。また、異なる外形の主ディスク及び補助ディスクが必要なので、装置を製作するときに取り扱いが煩雑であり、コスト的にも不利である。
【０００９】
この考案は、上記背景技術に鑑みて成されたものであり、隣り合う選別用スロット同士が間隙を通じて連続することがなく、シンプルな構造で的確な選別が可能なディスクスクリーン型の選別装置を提供することを目的とする。
【課題を解決するための手段】
【００１０】
この考案は、装置本体に回転可能に支持された回転軸及び前記回転軸の外周面に所定間隔を空けてフランジ状に設けた複数のディスクで成るローラと、複数の前記ローラの前記回転軸を同一方向に連動回転させる駆動装置とを備え、複数の前記ローラを並設して上側に移送面を形成し、当該移送面の前記回転軸と垂直方向の一方の端部である搬入端の側に投入された混合廃棄物を、前記移送面の他方の端部である排出端から排出するディスクスクリーン型の選別装置であって、前記移送面は、前記ローラである第１及び第２ローラが交互に並設されて形成され、前記第１ローラは、同一の楕円状外形を有する複数の前記ディスクが軸方向に一定間隔で配置され、前記複数のディスクの中の何れのディスクも、軸方向に隣り合うもの同士が互いに軸周りに所定角度ずれて設けられ、前記第２ローラは、前記第１ローラの前記ディスクと同一の楕円状外形を有する他の複数のディスクが軸方向に一定間隔で配置され、前記他の複数のディスクの中の何れのディスクも、軸方向に隣り合うもの同士が互いに軸周りに所定角度ずれて設けられ、前記第１及び第２ローラが互いに平行に前記装置本体に支持された状態で、前記各ディスクの外周端面同士が、前記各回転軸周りに相対的に９０°位置がずれて各々対向し、前記駆動装置は、前記第１及び第２ローラを、前記回転軸の軸周りに等速度で連動回転するように駆動し、第１及び第２ローラの前記回転軸が支持されている間隔は、前記各ディスクの外周端面同士が互いに接し又は僅かに離間する範囲で近接するよう設定されているディスクスクリーン型の選別装置である。
【００１１】
前記第１ローラは、同一の楕円状外形を有する複数の前記ディスクである第１、第２及び第３ディスクが、軸方向に当該順番を繰り返すように配置され、前記第２ディスクが前記第１ディスクに対して軸周りに４５°ずれて設けられ、前記第３ディスクが前記第１ディスクに対して軸周りに９０°ずれて設けられ、前記第２ローラは、前記第１ローラの前記ディスクと同一の楕円状外形を有する前記ディスクである第４、第５及び第６ディスクが、軸方向に当該順番を繰り返すように配置され、前記第５ディスクが前記第４ディスクに対して軸周りに４５°ずれて設けられ、前記第６ディスクが前記第４ディスクに対して軸周りに９０°ずれて設けられ、
前記第１及び第２ローラは、前記装置本体に支持された状態で、前記第１及び第４ディスクの外周端面同士、前記第２及び第５ディスクの外周端面同士、及び前記第３及び第６ディスクの外周端面同士の各々の位置が、前記各回転軸周りに相対的に９０°ずれて各々対向し、第１及び第２ローラの前記回転軸が支持されている間隔は、前記第１及び第４ディスクの外周端面同士、前記第２及び第５ディスクの外周端面同士、及び前記第３及び第６ディスクの外周端面同士が互いに接し又は僅かに離間する範囲で近接するよう設定されているものである。
【００１２】
前記ディスクは、互いに平行な前記回転軸に固定され、前記各回転軸の軸間距離は、前記楕円の長径と短径の和の１／２とほぼ等しく、前記回転軸に周りに設けられた前記ディスクの楕円状外形は、互いの位置が相対的に前記軸周りに９０°ずれて、外周端面同士が互いに接し又は僅かに離間して回転可能に形成されているものである。
【００１３】
前記ディスクの楕円状外形は、長辺の先端と短辺の先端との結ぶ曲線の膨らみが、真の楕円における当該曲線の膨らみよりも僅かに内側になっていることが好ましい。また、複数の前記ディスクと、当該ディスクよりも外形が小さく、隣り合う前記ディスク同士の間隔を規定するスペーサとが、各中心部分を貫通する前記回転軸に着脱自在に固定されていることが好ましい。
【００１４】
さらに、前記ローラの下側に、当該ローラの複数の前記ディスクの下方部分が回転通過する切り込みが形成されたスクレーパが設けられていると良い。
【考案の効果】
【００１５】
本考案のディスクスクリーン型の選別装置は、例えば第１及び第２ローラが連動回転したとき、第１及び第４ディスクの外周端面同士、第２及び第５ディスクの外周端面同士、及び第３及び第６ディスクの外周端面同士が対向する各間隙を、その回転位置によらず、小さくすることができる。従って、移送面の幅方向に隣り合う選別用スロット同士が連続することがないので、選別対象外の大形の廃棄物が通過するのを確実に防止し、的確な選別を行うことができる。特に、ディスクの外形を真楕円よりも曲線の膨らみが小さい所定の擬似楕円にすれば、対向する各ディスクの外周面同士の間隙を、ディスクの回転位置によらずほぼ一定にし、且つ極めて小さくすることが可能になる。
【図面の簡単な説明】
【００１６】
【図１】この考案のディスクスクリーン型の選別装置の一実施形態を含む産業廃棄物選別システムの正面図である。
【図２】図１の産業廃棄物選別システムの平面図である。
【図３】この実施形態のディスクスクリーン型の選別装置の搬出端側にある第一及び第二ローラを示す模式図である。
【図４】この実施形態のディスクスクリーン型の選別装置の第１及び第二ローラが回転する様子を示す模式図である。
【図５】図４における第１及び第４ディスクの回転位置を示す模式図（ａ）、第２及び第５ディスクの回転位置を示す模式図（ｂ）、第３及び第６ディスクの回転位置を示す模式図（ｃ）である。
【図６】この実施形態のディスクスクリーン型の選別装置のディスクの外形（真楕円と擬似楕円）を説明する図である。
【図７】第１及び第４ディスクの外周端面が対向する様子の比較であって、外形が真楕円の場合（ａ）、擬似楕円の場合（ｂ）である。
【図８】図３のＡ−Ａ断面図である。
【考案を実施するための形態】
【００１７】
以下、この考案の一実施形態のディスクスクリーン型の選別装置１０について、図面に基づいて説明する。選別装置１０は、複数種類の廃材が混じった混合廃棄物が投入され、比較的小形の廃棄物を選別し、その他の大形の廃棄物を排出する装置である。
【００１８】
選別装置１０は、例えば、図１、図２に示すように、混合廃棄物Ｗが投入され、３種類の廃棄物Ｗ１，Ｗ２，Ｗ３に分別する廃棄物選別システム１２に適用することができる。廃棄物選別システム１２は、一般的なベルトコンベア等である斜め搬送用の第１コンベア１４を備えている。第１コンベア１４は、移送面１６の図示しない搬入端（図１、図２の右側）に投入された廃棄物Ｗを斜め上方に移送し、他方の端部である排出端１６ａから排出する。
【００１９】
第１コンベア１４の排出端１６ａの下方には、この実施形態の選別装置１０が設けられている。選別装置１０は、複数のローラを並設して上側に移送面１８を形成している。ローラは、回転軸と、回転軸に所定間隔を空けてフランジ状に設けられた複数のディスクとで構成され、回転軸の両端が装置本体２０に回転可能に支持され、駆動装置２２によって同一方向に連動回転する。選別装置１０は、第１コンベア１６によって移送面１８の搬入端１８ａ側に投入された混合廃棄物Ｗをローラを回転させることによって移動させ、排出端１８ｂから排出する。このとき、混合廃棄物Ｗの中の小形の廃棄物Ｗ１は、複数のローラ及びディスクとの隙間にできる選別用スロットを通過して落下し、下方のストックヤード２４内に回収される。一方、選別用スロットを通過できない混合廃棄物Ｗは、移送面１８上を移動し排出端１８ｂから排出される。
【００２０】
選別装置１０の排出端１８ｂの下方には、一般的なベルトコンベア等である水平搬送用の第２コンベア２６が設けられている。第２コンベア２６は、選別装置１０によって移送面２８の搬入端２８ａ側に投入された大形の混合廃棄物Ｗを、選別作業者Ｍ１，Ｍ２がいる所まで移送する。選別作業者Ｍ１は、大形の混合廃棄物Ｗの中からプラスチック製の廃棄物Ｗ２を手作業で選別し、ストックヤード３０内に投下する。さらに、選別作業者Ｍ２は、ガラス製の廃棄物Ｗ３を手作業で選別し、ストックヤード３２内に投下する。
【００２１】
このように、廃棄物選別システム１２は、選別装置１０を使用して、混合廃棄物Ｗから小形の廃棄物Ｗ１を選別する一次選別を行い、その後、選別作業者Ｍ１，Ｍ２が大形の廃棄物を素材別に分別する二次、三次選別を行う構成になっている。
【００２２】
次に、選別装置１０の詳細な構成について説明する。選別装置１０の移送面１８は、図３に示すように、２種類のローラである第１ローラ及び第２ローラ３４，３６を交互に並べて形成されている。第１ローラ３４は、同一の楕円状外形を有するディスク３８である第１、第２及び第３ディスク３８ａ，３８ｂ，３８ｃが、この順番を繰り返すように回転軸４０の軸方向（図３の左側から右側の方向）に配置され、隣り合う各ディスク３８ａ〜３８ｃの間隔は、互いの間に挟持する円盤状のスペーサ４２によって一律に設定されている。第１、第２及び第３ディスク３８ａ，３８ｂ，３８ｃは、図４に示すように、第２ディスク３８ｂが第１ディスク３８ａに対して回転方向（図面上、反時計回り）に（−４５°）ずれて固定され、第３ディスク３８ｃが第１ディスク３８ａに対して回転方向に（−９０°）ずれて固定されている。第２ローラ３６も第１ローラ３４と同様の構成であり、ディスク３８と同一外形のディスク４４である第４、第５及び第６ディスク４４ａ，４４ｂ，４４ｃが、この順番を繰り返すように回転軸４０の軸方向（図３の左側から右側の方向）に配置され、隣り合う各ディスク４４ａ〜４４ｃの間隔は、互いの間に挟持する上記と同一のスペーサ４２によって一律に設定されている。第４、第５及び第６ディスク４４ａ，４４ｂ，４４ｃも、図４に示すように、第５ディスク４４ｂが第４ディスク４４ａに対して回転方向に（−４５°）ずれて固定され、第６ディスク４４ｃが第４ディスク４４ａに対して回転方向に（−９０°）ずれて固定されている。そして、第１及び第２ローラ３４，３６は、装置本体２２に支持された状態で、第１及び第４ディスク３８ａ，４４ａの外周端面同士、第２及び第５ディスク３８ｂ，４４ｂの外周端面同士、及び第３及び第６ディスクの外周端面同士３８ｃ，４４ｃが各々対向する。
【００２３】
駆動装置２２は、第１及び第２ローラ３４，３６を駆動し、第１及び第４ディスク３８ａ，４４ａが、互いの回転軸４０の回転方向に９０°ずらして、互いに等速度で連動回転させる。従って、第２及び第５ディスク３８ｂ，４４ｂ、第３及び第６ディスク３８ｃ，４４ｃについても同様に、互いの回転軸４０の回転方向に９０°ずれて、等速度で連動回転することになる。
【００２４】
第１及び第２ローラ３４，３６の各回転軸が支持されている間隔は、第１及び第４ディスク３８ａ，４４ａの外周端面同士が互いに接触しない範囲で極めて近接するよう設定されている。即ち、回転軸４０の中心間距離は、第１及び第４ディスク３８ａ，４４ａの楕円の長径と短径の和にほぼ等しい。例えば、第１及び第２ローラ３４，３６が図４に示す回転位置にあるとき、第１及び第４ディスク３８ａ，４４ａの外周端面の位置関係は、図５（ａ）のようになる。同様に、第２及び第５ディスク３８ｂ，４４ｂの外周面同士、第３及び第６ディスク３８ｃ，４４ｃの外周面同士の位置関係は、図５（ｂ），（ｃ）のようになる。従って、図５から分かるように、第１及び第２ローラ３４，３６が連動回転すると、その回転位置によらず、第１及び第４ディスク３８ａ，４４ａの外周端面同士、第２及び第５ディスク３８ｂ，４４ｂの外周面同士、及び第３及び第６ディスク３８ｃ，４４ｃの外周面同士が、どこかの部分で常に近接した状態になる。そして、図４に示すように、第１及び第２ローラ３４，３６を並設して成る移送面１８には、各ディスク３８ａ〜３８ｃ、４４ａ〜４４ｃ及び各スペーサ４２で囲まれた矩形の選別用スロット４６が多数形成され、各選別用スロット４６よりも小形の廃棄物Ｗ１だけを下方に落下させることができる。
【００２５】
上記の各ディスク３８，４４の外形は概ね楕円状であればよいが、より厳密にいえば、図６に示すような擬似楕円、すなわち、楕円の長径な長さ２ａが短径の長さ２ｂの１．２５〜１．４５倍の範囲、より好ましくは、１．３〜１．４倍の範囲にあり、長径２ａの先端と短径２ｂの先端との結ぶ曲線の膨らみが、真楕円における当該曲線の膨らみよりも僅かに内側にある形状であることが好ましい。
【００２６】
例えば、長径２ａが短径２ｂの１．３７倍の真楕円の外形を有する第１及び第４ディスク３８ａ，４４ａについて考える。この場合、互いの回転軸４０の軸心間隔を（ａ＋ｂ）に設定して隙間Δｄをゼロにしたとすると、図７（ａ）に示すように、互いの回転軸４０が４５°だけ連動回転すると重なりＰが生じてしまう。そこで、実際の装置では、互いの回転軸の間隔を（ａ＋ｂ）よりも広くして重なりＰが発生しないようにしなければならず、その結果、ある程度の隙間Δｄが空いてしまう。
【００２７】
それに対して、長径２ａが短径２ｂの１．３７倍で真楕円よりも膨らみが僅かに内側にある形状の擬似楕円の外形を有する第１及び第４ディスク３８ａ，４４ａにした場合、互いの回転軸４０の間隔を（ａ＋ｂ）に設定して間隙Δｄをゼロにしたとすると、図７（ｂ）に示すように、互いの回転軸４０が４５°だけ連動回転しても理論的には重なりＰが生じないようにすることができる。そこで、実際の装置では、組み立てのばらつき等を考慮して、互いの回転軸の間隔を（ａ＋ｂ）よりも僅かに広げ、最低限の間隙Δｄを確保しておけば、第１及び第２ローラ３４，３６の回転位置によらず、僅かな間隙Δｄを維持することができる。
【００２８】
以上説明したように、この実施形態のディスクスクリーン型の選別装置１０は、各ディスク３８，４４が楕円状外形を有しており、第１及び第２ローラ３４，３６が回転したときに移送面１８上の廃棄物Ｗを跳ね上げるので、廃棄物Ｗが各部に付着して選別用スロット４６が目詰まりするのを防止する効果が得られる。また、第１及び第２ローラ３４，３６が連動回転したとき、第１及び第４ディスク３８ａ，４４ａの外周端面同士、第２及び第５ディスク３８ｂ，４４ｂの外周端面同士、及び第３及び第６ディスク３８ｃ，４４ｃの外周端面同士が互いに対向する各間隙を、その回転位置によらず、小さくほぼ一定にすることができる。従って、移送面１８の幅方向に隣り合う選別用スロット４６同士が連続することがないので、選別対象外の大形の廃棄物Ｗ２，Ｗ３が通過するのを確実に防止し、小形の廃棄物Ｗ１だけを的確に選別することができる。特に、ディスク３８，４４の外形を真楕円よりも曲線の膨らみが小さい所定の擬似楕円にすることによって、対向する各ディスク３８，４４の外周面同士の間隙を、ディスクの回転位置によらず、ほぼ一定にし、且つ極めて小さくすることができる。
【００２９】
また、複数のディスク３８，４４と、円盤状のスペーサ４２と、それらの各中心部分を貫通する回転軸４０とを着脱自在な別バーツとして設け、各パーツを組み立てることによって第１及び第２ローラ３４，３６が構成されているので、スペーサ４２の直径や厚みを変更するだけで、選別用スロット４６の大きさを自在に変更することができる。従って、選別の対象とする廃棄物のサイズが変更になった場合でも、容易に対応することができる。
【００３０】
なお、この考案のディスクスクリーン型の選別装置は、上記実施形態に限定されるものではない。例えば、各ローラ上の各ディスクの位相差は、上記の４５°の他、例えば３０°ずつずらしたものでも良く、所定角度ずつずらして設定すればよい。また、第１及び第２ローラは、第１〜第６ディスクが各回転軸と一体に形成してもよい。その場合はスペーサを設ける必要がなく、移送面には、回転軸の外周面と各ディスクで囲まれた選別用スロットが形成されることになる。
【００３１】
また、図８に示すように、各ローラ（ここでは、第２ローラ３６）の下側の位置に、各ディスク（ここでは、第４、第５及び第６ディスク４４ａ，４４ｂ，４４ｃ）が回転通過する切り込み４８ａを有する板状のスクレーパ４８を設け、各ディスクに付着した廃棄物Ｗ１を掻き取る構造にすれば、選別用スロット４６の目詰まり防止の効果をさらに高めることができる。スクレーパ４８は、装置本体２０の所定箇所に固定されていると良い。
【００３２】
また、この考案のディスクスクリーン型の選別装置は、図１，図２で説明した廃棄物選別システム１２の形態に限らず、その他の様々な形態の廃棄物選別システムに使用することができる。
【符号の説明】
【００３３】
１０  ディスクスクリーン型の選別装置
１２  廃棄物選別システム
１８  移送面
１８ａ  搬入端
１８ｂ  排出端
２０  装置本体
２２  駆動装置
３４  第１ローラ
３６  第２ローラ
３８  ディスク
３８ａ  第１ディスク
３８ｂ  第２ディスク
３８ｃ  第３ディスク
４０  回転軸
４２  スペーサ
４４  ディスク
４４ａ  第４ディスク
４４ｂ  第５ディスク
４４ｃ  第６ディスク
４６  選別用スロット
４８  スペーサ
４８ａ  切り込み
Ｗ  混合廃棄物
Ｗ１，Ｗ２，Ｗ３  廃棄物
【図１】
0003181720.tif 000003
【図２】
0003181720.tif 000004
【図３】
0003181720.tif 000005
【図４】
0003181720.tif 000006
【図５】
0003181720.tif 000007
【図６】
0003181720.tif 000008
【図７】
0003181720.tif 000009
【図８】
0003181720.tif 000010